(57)【要約】【課題】目的のブックマークを容易に探し出すことができる表示システムおよび表示方法を提供することを目的とする。【解決手段】リンクを表示する際に付加情報とともに表示する。【選択図】図１
2008210111.tif 000002
【特許請求の範囲】
【請求項１】
リンクを表示する際に付加情報とともに表示することを特徴とする表示システム。
【請求項２】
前記付加情報が、該リンクがブックマーク登録されているかどうかを識別可能に表示するものであることを特徴とする請求項１に記載の表示システム。
【請求項３】
前記付加情報が、該リンクのリンク先のページに対する閲覧履歴に関する情報であることを特徴とする請求項１に記載の表示システム。
【請求項４】
前記リンクが、サイトの検索結果のリストにおけるリンクであることを特徴とする請求項１から３のうちのいずれか１項に記載の表示システム。
【請求項５】
前記リンクが、商品のリストにおけるリンクであることを特徴とする請求項１から３のうちのいずれか１項に記載の表示システム。
【請求項６】
リンクを表示する際に付加情報とともに表示することを特徴とする表示方法。
【請求項７】
前記付加情報が、該リンクがブックマーク登録されているかどうかを識別可能に表示するものであることを特徴とする請求項６に記載の表示方法。
【請求項８】
前記付加情報が、該リンクのリンク先のページに対する閲覧履歴に関する情報であることを特徴とする請求項６に記載の表示方法。
【請求項９】
前記リンクが、サイトの検索結果のリストにおけるリンクであることを特徴とする請求項６から請求項８のうちのいずれか１項に記載の表示方法。
【請求項１０】
前記リンクが、商品のリストにおけるリンクであることを特徴とする請求項６から請求項８のうちのいずれか１項に記載の表示方法。
【発明の詳細な説明】
【技術分野】
【０００１】
本発明は、表示システムおよび表示方法に関し、詳しくは、たとえばインターネット上のサイトを閲覧する際に、よく閲覧するサイトなどをブックマークしておき、後から手軽に閲覧できるようにするブックマークを利用した表示システムおよび表示方法に関する。
【背景技術】
【０００２】
従来、たとえばインターネット上のサイトを閲覧する際に、よく閲覧するサイト、あるいは重要度の高いサイトをブックマークしてブックマーク集に登録し、それらのサイトを再度、閲覧したい場合には、ブックマーク集の中から、閲覧したいサイトを選択し、閲覧するのが一般的である。
【０００３】
このブックマーク集において各ブックマークは階層的に管理される。たとえば複数のブックマークを１つのカテゴリに所属させることができ、さらに、複数のカテゴリをまとめて別の上位のカテゴリに所属させることができる。
【０００４】
サイトを閲覧する際に用いるアプリケーションソフトウェアであるブラウザにてブックマーク集を表示する場合、ブックマーク集に登録されているブックマークを示すアイコンや、テキストがリスト形式で表示され、ユーザはそれらを参照して目的のサイトを探す。
【０００５】
また従来、各ブックマークをカテゴリごとに表示したり、階層の深さに応じて、表示の位置をずらすことによって、ユーザが目的のサイトを容易に見つけ出せるような工夫がなされている。また、一部のカテゴリのみを表示することもできる。
【０００６】
また、特許文献１には、ウェブ・ページ上に示されたハイパーリンクにおいて、そのアドレスへの過去の訪問から得られる特性等の付加情報を含めてハイパーリンクを構成する技術を開示している。
【０００７】
【特許文献１】特開２００１−２９７０４８号公報
【発明の開示】
【発明が解決しようとする課題】
【０００８】
しかし、ブックマーク集に登録されるサイト数が増加すると、ブックマーク集から目的のカテゴリを探し、そのカテゴリから目的のブックマークを探す必要があり、手間が増加するという問題があった。
【０００９】
また、特許文献１に記載の技術では、ウェブ・ページ上にハイパーリンクを表示する際に、そのアドレスへの過去の訪問から得られる特性等の付加情報を含めて表示するようにしているが、すべてのハイパーリンクが付加情報を含めることになってしまい、ブックマーク集のように複数のブックマークを提示するような場合には、かえって見にくくなってしまうという問題があった。
【００１０】
本発明は上記の点にかんがみてなされたもので、目的のブックマークを容易に探し出すことができる表示システムおよび表示方法を提供することを目的とする。
【課題を解決するための手段】
【００１１】
本発明は、リンクを表示する際に付加情報とともに表示することを特徴とする。
【００１２】
また本発明は、前記付加情報が、該リンクがブックマーク登録されているかどうかを識別可能に表示するものであることを特徴とする。
【００１３】
また本発明は、前記付加情報が、該リンクのリンク先のページに対する閲覧履歴に関する情報であることを特徴とする。
【００１４】
また本発明は、前記リンクが、サイトの検索結果のリストにおけるリンクであることを特徴とする。
【００１５】
また本発明は、前記リンクが、商品のリストにおけるリンクであることを特徴とする。
【発明の効果】
【００１６】
本発明においては、以下に記載するような効果を奏する。
【００１７】
すなわち本発明によれば、ブックマーク集に登録されている大量のサイトから目的のサイトを検索するユーザの手間を低減することができる。
【００１８】
また本発明によれば、検索結果からブックマーク集に登録されているサイトを探したい場合は、マークされているサイトを見ればよく、ブックマーク集に登録されていないサイトを探したい場合は、マークされていないサイトを見ればよく、より検索効率を上げることができる。
【発明を実施するための最良の形態】
【００１９】
本発明は、検索サイトからの検索結果を表示する際に、ブックマーク登録されているサイトに関しては、そのことを示すアイコンなどを付加して表示することを特徴とする。これにより、ブックマーク登録されている複数のサイトから目的のサイトを探す手間が低減する。
【００２０】
なお、ここでは、サイトの場所を特定するための識別子（アドレス、ＵＲＬと呼ばれる）の集合をブックマーク集と呼ぶ。
【００２１】
以下、本発明の実施の形態について図面を参照して詳細に説明する。
【００２２】
図１は、本発明による表示システムの第１の実施の形態の構成を示すブロック図である。
【００２３】
図１において矢印で接続される機能に関して、矢印の基の機能が矢印の先の機能を利用する関係となる。
【００２４】
クライアント１はＷｅｂクライアント１２と応答メッセージ編集機能１３とブックマーク管理機能１４とを備え、サーバ２はＷｅｂサーバ２１と検索エンジン２２とを備える。クライアント１とサーバ２とはたとえばインターネットであるネットワーク３を介して接続される。
【００２５】
Ｗｅｂクライアント１２は、外部プログラムからの呼び出しを基にＷｅｂサーバ２１に対する要求メッセージを生成し、送信（アクセス）する。
【００２６】
また、Ｗｅｂクライアント１２は、Ｗｅｂサーバ２１からの応答メッセージを解析し、呼び出し元の外部プログラムに通知する。
【００２７】
その際、応答メッセージ編集機能１３により編集した応答メッセージを外部プログラムに通知する場合もある。さらにブックマーク管理機能１４を利用してサイトの、ブックマーク集への、登録、登録サイトの削除、登録サイトの参照、登録サイトに対するアクセスを提供する。
【００２８】
応答メッセージ編集機能１３は、応答メッセージの含まれる特定のアドレスがブックマーク登録されているアドレスに一致する場合に、ブックマーク登録されていることを示す目印（ブックマークアイコン）が表示されるように応答メッセージを編集する。
【００２９】
ブックマーク管理機能１４は、ブックマークの登録、削除、参照を行う機能を提供する。
【００３０】
Ｗｅｂサーバ２１は、Ｗｅｂクライアント１２からの要求メッセージを基に検索エンジン２２に対して検索指示を行い、検索結果をＷｅｂクライアント１２に応答する。
【００３１】
検索エンジン２２は、キーワードやカテゴリを指定することにより、それらの条件に適合するサイト群を検索する。
【００３２】
続いて、この第１の実施の形態についてさらに詳しく説明する。
【００３３】
本発明では、ブックマークアイコンを検索結果に挿入すること（応答メッセージ編集処理）を特徴とするが、検索に先立ち、あらかじめ検索サイトの登録を行う。図２にその手順を示す。
【００３４】
検索サイトの登録は、アドレスパターンを登録することにより実現する。図３にその例を示す。アスタリスク（＊）は任意の文字列を表す。このパターンに合致するアドレスにアクセスした場合に、その応答メッセージに対して応答メッセージ編集処理を行う。
【００３５】
ただし、応答メッセージ編集処理を適用すべき応答メッセージを特定する手段が他にある場合、上記手段と置き換えてもよい。
【００３６】
また、検索サイトの登録に関して、上記手段に特定するものではなく、たとえば、Ｗｅｂクライアント作成者があらかじめ、登録サイトをプログラム内に組み込んでおいてもよい。
【００３７】
また、上記アドレスパターンの表記方法に関して、上記に制限するものではない。
【００３８】
図４は、第１の実施の形態において、検索要求を出してから応答メッセージ編集処理後のメッセージ（編集後応答メッセージ）を受信するまでの処理の流れを示すフロー図である。
【００３９】
Ｗｅｂクライアント１２は、応答メッセージ編集機能１３による応答メッセージ編集処理の要否判定を行うために、アクセスしたサイトのアドレスを記録しておく。
【００４０】
またＷｅｂクライアント１２は、Ｗｅｂサーバ２１から応答メッセージを受信後、アクセスしたアドレスが登録している検索サイトのアドレスパターンに適合するかどうかを判定し、適合する場合には、応答メッセージ編集機能１３による応答メッセージ編集処理を行う。
【００４１】
図５は、第１の実施の形態において、Ｗｅｂサーバが送信する応答メッセージの例を示す図である。
【００４２】
この図５の例では、応答メッセージをＨＴＭＬで示している。
【００４３】
検索結果のサイトへのリンクであることを示すためにａタグのｃｌａｓｓ属性の値をｌとする。また、サイトのＵＲＬはａタグのｈｒｅｆ属性値として記述する。ただし、検索結果のサイトへのリンクであることを示すための手段はこれに限るものではない。また、サイトのＵＲＬを記述する手段もこれに限るものではない。
【００４４】
図６は、第１の実施の形態において、応答メッセージ編集処理の流れを示す図である。
【００４５】
応答メッセージ編集機能１３は、応答メッセージを受けると、ａタグのｃｌａｓｓ属性を参照することにより、検索結果のサイトを見つけ出し、ｈｒｅｆ属性値をサイトのアドレスとして抽出する（Ａ−１、Ａ−２、Ａ−３）。続いて、このアドレス（検索結果アドレス）とブックマークに登録されている各アドレス（ブックマークアドレス）とを比較する（Ａ−４）。
【００４６】
ブックマークに登録されているいずれかのアドレスと一致する場合、ブックマークアイコンを表示するためのコード（ブックマークアイコン表示コード）を挿入する箇所を特定し、挿入する（Ａ−５）。
【００４７】
図７は、第１の実施の形態において、応答メッセージにブックマークアイコン表示コードを挿入した例を示す図である。
【００４８】
この例では、ファイル名ｂｏｏｏｋｍｒｋ．ｇｉｆのブックマークアイコンを表示するためのコードを、ａタグの直後に挿入している。
【００４９】
図８は、第１の実施の形態において、応答メッセージ編集を適用した場合のディスプレイへの出力画面例を示す図である。
【００５０】
また、図９は、第１の実施の形態において、応答メッセージ編集を適用しなかった場合のディスプレイへの出力画面例を示す図である。
【００５１】
図８の例では、Ｂを丸で囲んだアイコンをブックマークアイコンとして用い、このブックマークアイコンを表示している。
【００５２】
なお、この第１の実施の形態では、ブックマークアイコンを表示するように制御しているが、本発明はブックマークアイコンに限るものでなく、ブックマークアイコンに代えて、もしくはブックマークアイコンに加えてテキストを挿入したりすることも可能である。
【００５３】
また、この第１の実施の形態では、ブックマークアイコンを挿入する位置をａタグの直後としているが、本発明はこれに限定されるものではない。
【００５４】
ブックマークアイコンを挿入する位置は、あらかじめ設定されている必要がある。これには、主に、応答メッセージ編集機能１３を作成する段階でその作成者があらかじめ設定しておく方法や、応答メッセージ編集機能１３の利用者がその都度設定できるような手段を提供する方法などがあるが、本発明はこれらに限定されるものではない。
【００５５】
ブックマーク管理機能１４に関しては、Ｗｅｂサイトを閲覧するためのアプリケーションソフトウェア（ブラウザ）に組み込まれていることが一般的であり、したがってブックマーク管理機能１４は従来技術を利用することができる。
【００５６】
図１０は、ブックマーク登録手順の一例を示す図である。
【００５７】
外部プログラムはＷｅｂクライアント１２にブックマーク登録を依頼し、これを受けたＷｅｂクライアント１２はブックマーク管理機能１４にブックマーク登録を指示する。
【００５８】
ブックマーク管理機能１４にてブックマーク登録が完了したならば、ブックマーク管理機能１４はＷｅｂクライアント１２に登録完了通知を送り、これを受けたＷｅｂクライアント１２は外部プログラムに登録完了通知を送る。
【００５９】
以上説明したように、本発明によれば、ブックマークに登録されている大量のサイトから目的のサイトを検索する手間を低減することができる。
【００６０】
また本発明によれば、検索結果からブックマークに登録されているサイトを探したい場合は、マークされているサイトを見ればよく、ブックマークに登録されていないサイトを探したい場合は、マークされていないサイトを見ればよく、より検索効率を上げることができる。
【００６１】
次に、本発明の第２の実施の形態について説明する。
【００６２】
図１１は、本発明によるブックマーク表示システムの第２の実施の形態の構成を示すブロック図である。
【００６３】
図１１において矢印で接続される機能に関して、矢印の基の機能が矢印の先の機能を利用する関係となる。
【００６４】
第２の実施の形態では、第１の実施の形態におけるブックマーク管理機能１４が、参照履歴管理機能１１４へと置き換えられている。
【００６５】
この参照履歴管理機能１１４は、Ｗｅｂクライアント１１２が取得したサイトのアドレス、取得したＨＴＭＬ文書や閲覧した時刻などの情報を履歴として管理する。
【００６６】
続いて、この第２の実施の形態についてさらに詳しく説明する。
【００６７】
検索サイトの登録に関しては、第１の実施の形態と同様である。
【００６８】
図１２は、第２の実施の形態において、検索要求を出してから、応答メッセージ編集処理後のメッセージ（編集後応答メッセージ）を受信するまでの処理の流れを示す図である。
【００６９】
Ｗｅｂクライアント１１２が応答メッセージ編集機能１１３に対して、応答メッセージ編集要求を行うまでの流れは第１の実施の形態と同様である。
【００７０】
その後、応答メッセージ編集機能１１３は、参照履歴管理機能１１４を利用して、サイトのアドレスと参照した時刻情報を取得する。また、取得した情報を基に応答メッセージを編集する。
【００７１】
図１３は、第２の実施の形態において、参照履歴管理機能へ参照履歴を登録する流れを示す図である。
【００７２】
図１２の参照履歴取得要求によって得られる情報は、図１３の流れで登録された情報である。
【００７３】
外部プログラムがＷｅｂクライアント１１２にサイトの閲覧要求を行い、Ｗｅｂクライアント１１２がＷｅｂサーバ１２１から応答メッセージを受信すると、参照履歴登録を行う。
【００７４】
図１４は、第２の実施の形態において、応答メッセージ編集の流れを示す図である。
【００７５】
この図１４の処理では、図６ステップ（Ａ−４）の“ブックマークアドレス＝検索結果アドレス？”の判定処理が、ステップ（Ｂ−４）の“参照アドレス＝検索結果アドレス？”に置き換わる。
【００７６】
このステップ（Ｂ−４）では、参照履歴管理機能１１４から取得したアドレス（参照アドレス）と検索結果アドレスとを比較する。
【００７７】
２つのアドレスが一致する場合には、参照履歴管理機能から取得した参照時刻を基にしてどの程度過去にそのサイトを参照したかを所定の位置に挿入する（Ｂ−５）。
【００７８】
図１５は、第２の実施の形態において、参照履歴情報を挿入した例を示す図である。
【００７９】
この例では、２０分前にサイトを参照していることを表すテキスト（参照履歴情報）を表示するためのコードを、ａタグの直後に挿入している。
【００８０】
この第２の実施の形態では、どの程度過去にそのサイトを参照したかを表示するとしているが、本発明はこれに限られるものでなく、サイトを参照した時刻、サイトを何回参照したか、サイトの内容に関する情報などの情報を挿入してもよい。
【００８１】
また、サイトへのリンクを示すテキストの色やサイズを変えることでどの程度過去に参照したかを表現してもよい。たとえば、より最近参照したサイトはより濃い色で示し、より過去に訪れたサイトはより薄い色とすることもできる。また、より最近参照したサイトはより大きいサイズで示し、より過去に訪れたサイトはより小さいサイズで示すこともできる。
【００８２】
図１６は、第２の実施の形態において、応答メッセージ編集を適用した場合のディスプレイへの出力画面例を示す図である。
【００８３】
図１６に示すように、この第２の実施の形態によれば「２日前に参照」の文字が表示される。
【００８４】
この第２の実施の形態によれば、ある情報を取得したい利用者は、検索サイトを利用して、いくつかのキーワードで複数回、検索を行う場合がある。過去に行った検索によって参照したサイトが目的のサイトでなかった場合、その後の検索結果から、それらのサイトを参照の対象から効率的にはずすことが可能となる。
【００８５】
次に、本発明の第３の実施の形態について説明する。
【００８６】
図１７は、本発明によるブックマーク表示システムの第３の実施の形態の構成を示すブロック図である。
【００８７】
この第３の実施の形態では、第１の実施の形態における応答メッセージ編集機能１３およびブックマーク管理機能１４に相当する、応答メッセージ編集機能２２３およびブックマーク管理機能２２４が、サーバ２０２側に設けられている。
【００８８】
続いて、この第３の実施の形態についてさらに詳しく説明する。
【００８９】
図１８は、第３の実施の形態において、検索要求を行ってから、応答を受けるまでの流れを示す図である。
【００９０】
この第３の実施の形態では、検索サイトの登録は不必要となる。検索結果に応答メッセージ編集処理を適用したい検索サイトの側で、本実施の形態を適用するためである。
【００９１】
あとは、第１の実施の形態と同様の流れである。
【００９２】
図１９は、ブックマーク登録手順の一例を示す図である。
【００９３】
外部プログラムはＷｅｂクライアント２１２にブックマーク登録を依頼し、これを受けたＷｅｂクライアント２１２はＷｅｂサーバ２２１に要求メッセージを送信し、これを受けたＷｅｂサーバ２２１はブックマーク管理機能２２４にブックマーク登録を指示する。
【００９４】
ブックマーク管理機能２２４にてブックマーク登録が完了したならば、ブックマーク管理機能１４はＷｅｂサーバ２２１に登録完了通知を送り、これを受けたＷｅｂサーバ２２１はＷｅｂクライアント２１２に応答メッセージを送り、これを受けたＷｅｂクライアント２１２は外部プログラムに登録完了通知を送る。
【００９５】
この第３の実施の形態によれば、クライアント側の処理負荷が低減するという効果を奏する。
【００９６】
次に、本発明の第４の実施の形態について説明する。
【００９７】
図２０は、本発明によるブックマーク表示システムの第４の実施の形態の構成を示すブロック図である。
【００９８】
この第４の実施の形態の、第１の実施の形態との相違点は、クライアント３０１とサーバ３０２との間に中間サーバ３０４を設け、この中間サーバ３０４に応答メッセージ編集機能３４３およびブックマーク管理機能３４４を設けた点にある。
【００９９】
続いて、この第４の実施の形態についてさらに詳しく説明する。
【０１００】
図２１は、第４の実施の形態において、検索サイトの登録手順を示す図である。
【０１０１】
図２２は、第４の実施の形態において、検索要求を出してから応答を受信するまでの手順を示す図である。
【０１０２】
図２３は、第４の実施の形態において、ブックマークを登録する手順を示す図である。
【０１０３】
各手順は、上述した実施の形態と同様であり、図２１、図２２および図２３にて表されるので、詳しい説明は省略する。
【０１０４】
この第４の実施の形態によれば、第１の実施の形態と比較してクライアントの処理負荷が低減するという効果を奏する。
【０１０５】
また、この第４の実施の形態によれば、第３の実施の形態と比較してサーバの処理負荷が低減するという効果を奏する。
【０１０６】
また、この第４の実施の形態は、本発明の機能を複数のクライアントで共有したい場合に適している。
【０１０７】
次に、本発明の第５の実施の形態について説明する。
【０１０８】
図２４は、本発明によるブックマーク表示システムの第５の実施の形態の構成を示すブロック図である。
【０１０９】
第１の実施の形態の対象が検索サイトに限定されているのに対して、この第５の実施の形態は、対象を検索サイトに限定せず、すべてのサイトに対して利用できるよう汎用化したものである。
【０１１０】
続いて、この第５の実施の形態についてさらに詳しく説明する。
【０１１１】
図２５は、第５の実施の形態において、検索要求を出してから応答を受信するまでの手順を示す図である。
【０１１２】
図２６は、第５の実施の形態において、応答メッセージ編集の流れを示す図である。
【０１１３】
応答メッセージ編集機能４１３は、応答メッセージを受けると、ａタグのｃｌａｓｓ属性を参照することにより、リンクされているサイトを見つけ出し、ｈｒｅｆ属性値をサイトのアドレスとして抽出する（Ｃ−１、Ｃ−２、Ｃ−３）。続いて、このアドレス（リンクアドレス）とブックマークに登録されている各アドレス（ブックマークアドレス）とを比較する（Ｃ−４）。
【０１１４】
ブックマークに登録されているいずれかのアドレスと一致する場合、ブックマークアイコンを表示するためのコード（ブックマークアイコン表示コード）を挿入する箇所を特定し、挿入する（Ｃ−５）。
【０１１５】
この第５の実施の形態によれば、閲覧するサイトのリンクをクリックするかどうかを判断するための材料を提供しており、より効果的にリンクをクリックするかどうかの判断を行うことができる。
【０１１６】
なお、上述の各実施の形態では、ｗｅｂページへのリンクを表示する際に、ｗｅｂページがブックマーク登録されているものかどうかや過去の参照に関する履歴等の付加情報を表示することができるようにしたが、本発明はこれに限られるものではなく、たとえば「楽天」、「amazon」、「coneco.net」、「価格.com」、「ヤフーオークション」、「ビッダーズ」といったショッピングサイト、価格比較サイト、オークションサイトなどのように、商品のリストを表示する場合においても本発明は適用可能である。この場合、たとえば、リスト表示されている商品ページへのリンク群に対し、その商品ページがブックマーク登録されているものかどうかや過去の参照に関する履歴等の付加情報を表示するようにすることもできる。
【図面の簡単な説明】
【０１１７】
【図１】本発明による表示システムの第１の実施の形態の構成を示すブロック図である。
【図２】第１の実施の形態において、検索に先立ち、あらかじめ検索サイトの登録を行う手順を示す図である。
【図３】第１の実施の形態において、検索サイトの登録として、アドレスパターンを登録する例を示す図である。
【図４】第１の実施の形態において、検索要求を出してから応答メッセージ編集処理後のメッセージ（編集後応答メッセージ）を受信するまでの処理の流れを示すフロー図である。
【図５】第１の実施の形態において、Ｗｅｂサーバが送信する応答メッセージの例を示す図である。
【図６】第１の実施の形態において、応答メッセージ編集処理の流れを示す図である。
【図７】第１の実施の形態において、応答メッセージにブックマークアイコン表示コードを挿入した例を示す図である。
【図８】第１の実施の形態において、応答メッセージ編集を適用した場合のディスプレイへの出力画面例を示す図である。
【図９】第１の実施の形態において、応答メッセージ編集を適用しなかった場合のディスプレイへの出力画面例を示す図である。
【図１０】ブックマーク登録手順の一例を示す図である。
【図１１】本発明によるブックマーク表示システムの第２の実施の形態の構成を示すブロック図である。
【図１２】第２の実施の形態において、検索要求を出してから、応答メッセージ編集処理後のメッセージ（編集後応答メッセージ）を受信するまでの処理の流れを示す図である。
【図１３】第２の実施の形態において、参照履歴管理機能へ参照履歴を登録する流れを示す図である。
【図１４】第２の実施の形態において、応答メッセージ編集の流れを示す図である。
【図１５】第２の実施の形態において、参照履歴情報を挿入した例を示す図である。
【図１６】第２の実施の形態において、応答メッセージ編集を適用した場合のディスプレイへの出力画面例を示す図である。
【図１７】本発明によるブックマーク表示システムの第３の実施の形態の構成を示すブロック図である。
【図１８】第３の実施の形態において、検索要求を行ってから、応答を受けるまでの流れを示す図である。
【図１９】ブックマーク登録手順の一例を示す図である。
【図２０】本発明によるブックマーク表示システムの第４の実施の形態の構成を示すブロック図である。
【図２１】第４の実施の形態において、検索サイトの登録手順を示す図である。
【図２２】第４の実施の形態において、検索要求を出してから応答を受信するまでの手順を示す図である。
【図２３】第４の実施の形態において、ブックマークを登録する手順を示す図である。
【図２４】本発明によるブックマーク表示システムの第５の実施の形態の構成を示すブロック図である。
【図２５】第５の実施の形態において、検索要求を出してから応答を受信するまでの手順を示す図である。
【図２６】第５の実施の形態において、応答メッセージ編集の流れを示す図である。
【符号の説明】
【０１１８】
１  クライアント
２  サーバ
３  ネットワーク
１２  Ｗｅｂクライアント
１３  応答メッセージ編集機能
１４  ブックマーク管理機能
【図１】
2008210111.tif 000003
【図２】
2008210111.tif 000004
【図３】
2008210111.tif 000005
【図４】
2008210111.tif 000006
【図５】
2008210111.tif 000007
【図６】
2008210111.tif 000008
【図７】
2008210111.tif 000009
【図８】
2008210111.tif 000010
【図９】
2008210111.tif 000011
【図１０】
2008210111.tif 000012
【図１１】
2008210111.tif 000013
【図１２】
2008210111.tif 000014
【図１３】
2008210111.tif 000015
【図１４】
2008210111.tif 000016
【図１５】
2008210111.tif 000017
【図１６】
2008210111.tif 000018
【図１７】
2008210111.tif 000019
【図１８】
2008210111.tif 000020
【図１９】
2008210111.tif 000021
【図２０】
2008210111.tif 000022
【図２１】
2008210111.tif 000023
【図２２】
2008210111.tif 000024
【図２３】
2008210111.tif 000025
【図２４】
2008210111.tif 000026
【図２５】
2008210111.tif 000027
【図２６】
2008210111.tif 000028